(57)【特許請求の範囲】
【請求項１】
下板の上に、繊維質板、発熱体、潜熱蓄熱材が接合されて一体で組み合わされている蓄熱式暖房パネルであって、前記発熱体が面状発熱体であり、該発熱体のリード線の先端には該発熱体を接続するためのコネクターを有しており、前記発熱体と潜熱蓄熱材を保持する板のない床の根太、または壁の間柱および胴縁に止具を設けて設置される蓄熱式暖房パネル。
【発明の詳細な説明】
【０００１】
【発明の属する技術分野】
本発明は、潜熱蓄熱材を用いた蓄熱式暖房パネルに関するものである。
【０００２】
【従来の技術】
深夜電力を利用した蓄熱式床暖房システムは既に実用化されている。このシステムは発熱体、潜熱蓄熱材、および断熱材を主たる構成部材とする。これらの部材によって床構造に設置するには、コンクリート建造物においてはコンクリート床内部に埋設する湿式工法、および木造建築においては床下根太間等に設置する乾式工法の二種類がある。後者においては、根太間に前もって板を設置し、その上に断熱材、発熱体および蓄熱材を順次設置する工程を経るために設置工事が煩雑となっている。また、根太の上には床板が設置されるので、蓄熱材の上面が根太より上に出てはならず、逆に根太上面よりも余りに低いと空間ができるため伝熱効果が低下することになるので好ましくない場合がある。従って、設置工事においては高さ調整が必要で、予想以上に手間がかかる工事であった。
【０００３】
【発明が解決しようとする課題】
上記した従来の床の根太間に設置した蓄熱式床暖房システムの問題を解決し、発熱体と潜熱蓄熱材を保持する板のない床の根太間に簡単な工事で設置でき、自在に連結可能な暖房パネルを提供することにある。
【０００４】
【課題を解決するための手段】
本発明は、下板の上に、繊維質板、発熱体、潜熱蓄熱材が一体で組み合わせることにより、また、該発熱体のリード線の先端に該発熱体間をコネクターで接続することにより、上記の課題を解決できることを見出し、本発明を完成するに至った。すなわち、下板の上に、繊維質板、発熱体、潜熱蓄熱材が接合されて一体で組み合わされている蓄熱式暖房パネルであって、前記発熱体が面状発熱体であり、該発熱体のリード線の先端には該発熱体を接続するためのコネクターを有しており、前記発熱体と潜熱蓄熱材を保持する板のない床の根太、または壁の間柱および胴縁に止具を設けて設置される蓄熱式暖房パネルに関する。
【０００５】
【発明の実施の形態】
以下、本発明について詳細に説明する。
本発明の蓄熱式暖房パネルを説明する。図１に示されているのは本発明の蓄熱式暖房パネルの一例である。下板１の上に、繊維質板２、発熱体３、潜熱蓄熱材４が順次一体で組み合わされている。発熱体３のリード線５の先端には、該発熱体間を接続するためのコネクター６を有している。
【０００６】
本発明において、下板は発熱体と潜熱蓄熱材を保持する板のない床の根太間に、蓄熱式暖房パネルを治具を用いて固定する際の強度の保持をする。その材質は特に限定されず、合板などの木質板、パーチクルボード、繊維板などの木質系加工板、鋼、アルミニウムなどの金属あるいは各種プラスチックスの板状物を用いることができる。なかでも木質系加工板が好ましい。下板の形状は特に限定はされないが、板状が好ましい。
【０００７】
また、繊維質板は、断熱と発熱体の保護に用いる。繊維質板はガラス繊維などの無機質繊維、フェルトなどの有機質繊維などを用いることができる。繊維質板２の厚みは特に限定されず、例えば３〜５０ｍｍの範囲から選ばれる。
【０００８】
さらに、発熱体としては、例えば、電気式の線状発熱体、棒状発熱体、面状発熱体などを用いることができる。なかでも面状発熱体が好ましい。
【０００９】
本発明において、発熱体のリード線の先端には、該発熱体間を接続するためのコネクターを有しているが、コネクターの形状、材質は簡単に発熱体間を接続できるものであれば特に限定はされない。
【００１０】
また、潜熱蓄熱材は特に限定されず、例えば、硫酸ナトリウム１０水塩、塩化カルシウム６水塩などの無機塩水和物、酢酸ナトリウム３水塩などの有機塩水和物、パラフィン、ワックスなどの有機物などを用いることができる。これらにホウ砂等の過冷却防止剤、シリカ、水溶性高分子、ハイドロゲル等の固液分離防止剤などを添加して用いることもできる。該潜熱蓄熱材は金属、合成樹脂製の容器に充填された形で用いられる。形状、厚みは特に限定されず、好ましくは板状で、厚みは、例えば１０〜５０ｍｍの範囲から選ばれる。
【００１１】
本発明の蓄熱式暖房パネルは、通常、下板の上に、繊維質板、発熱体、潜熱蓄熱材の順で組み合わされた一体型パネルとなっているが、発熱体が線状、棒状である場合は、潜熱蓄熱体との組み合わせにより暖房効果が損なわれなければ、この順序に限定されない。
また、本発明の蓄熱式暖房パネルの施行する床、壁等、暖房を必要とする箇所により、形状および寸法は特に制限はないが、発熱体と潜熱蓄熱材を保持する板のない床または壁の根太間に設置する場合等には施行時の取り扱いの容易さ、あるいは材料の耐荷重強度や剛性の制約から、好ましくは横幅２００〜４００ｍｍ、長さ３００〜１０００ｍｍ、厚み３０〜８０ｍｍである。
【００１２】
本発明の蓄熱式暖房パネルは、発熱体と潜熱蓄熱材を保持する板のない床の根太、または壁の間柱および胴縁等に、例えば図２または図３のように治具９、１３等の止具を用いて固定され設置される。
【００１３】
本発明の蓄熱式暖房パネルは、該発熱体のリード線の先端に該発熱体間をコネクターで接続することにより、自在に連結可能である。また、マンション、オフィス等は、コンクリート、モルタル等にて底面が形成されているが、この場合も本発明の蓄熱式暖房パネルを設置して床暖房を行うことも可能である。また、壁面に設置する場合も同様である。
【００１４】
【実施例】
以下に実施例によって本発明をさらに詳細に例示するが、本発明はこれらの実施例に限定されるものではない。
【００１５】
実施例１
図１に示すように、厚さ５ｍｍのパーチクルボード製の下板１の上に、厚さ１０ｍｍのフェールト製の繊維質板２が接合され、更にその上には厚み０.３ｍｍのアルミ板に発熱線を所定パターンで配線した面状発熱体３が接合されている。該発熱体に接続されたリード線５の先端には、該発熱体間を接続するための棒端子とコネクター６を有している。更にその上に厚み４０ｍｍのポリプロピレン製容器に充填された硫酸ナトリウム１０水塩系の潜熱蓄熱材４が接合されて、上記部材が全て一体で組み合わされた蓄熱式暖房パネルとなっている。該蓄熱式暖房パネルの寸法は、横２５０ｍｍ、縦６００ｍｍ、厚み５５ｍｍとなっている。このようにして得られた蓄熱式暖房パネルは、発熱体と潜熱蓄熱材を保持する板のない床の根太間に、図２に示すように治具９を用いて固定され設置された。
【００１６】
実施例２
実施例１と同様の下板１、繊維質板２、面状発熱体３および潜熱蓄熱材４が接合され、寸法が横２５０ｍｍ、縦８００ｍｍ、厚み５５ｍｍの蓄熱式暖房パネルを製作した。これを壁の胴縁に、図３に示すように治具１３を用いて固定され設置された。
【００１７】
【発明の効果】
本発明の蓄熱式暖房パネルは、発熱体と潜熱蓄熱材等が一体に組み合わさったパネルとなっているため設置工事が簡単であり、発熱体と潜熱蓄熱材を保持する板のない床または壁の根太、間柱等に、発熱体と潜熱蓄熱材を保持する板を前もって設置しておく必要がなく、簡単な治具で設置することができる。
【図面の簡単な説明】
【図１】本発明の蓄熱式暖房パネルの１例の部分断面図
【図２】本発明の蓄熱式暖房パネルの床の根太間に設置した１例の部分断面図
【図３】本発明の蓄熱式暖房パネルの壁の間柱に設置した１例の部分断面図
【符号の説明】
１．下板
２．繊維質板
３．発熱体
４．潜熱蓄熱材
５．リード線
６．コネクター
７．根太
８．蓄熱式暖房パネル
９．治具
１０．フローリング
１１．胴縁
１２．蓄熱式暖房パネル
１３．治具
１４．壁材
【図１】
0003923590.tif 000002
【図２】
0003923590.tif 000003
【図３】
0003923590.tif 000004